【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
オーディオ・ビジュアル機器を構成する方法であって、
カメラからのオーディオ・ビジュアルデータを処理するデバイスに通信可能に結合されたカメラのイメージセンサを用いて画像を取り込むステップであって、前記カメラまたは前記デバイスは第一の設定に設定される機能的な態様を有し、前記画像はコード化パターンを含む、ステップと、
画像プロセッサを用いて、前記コード化パターンから情報を抽出するステップと、
前記抽出された情報を用いて前記カメラまたは前記デバイスの所定のフィーチャをロック解除するステップであって、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、ステップと、
を含む方法。
【請求項２】
前記情報は、暗号化情報を含む請求項１の方法。
【請求項３】
前記コード化パターンから情報を抽出するステップは、カメラによって保持される一意の識別子を用いて暗号化情報を解読するステップを含む請求項２の方法。
【請求項４】
前記一意の識別子は、カメラと関連したシリアル番号を含む請求項３の方法。
【請求項５】
前記一意の識別子は、カメラに対して生成される暗号化キーを含む請求項３の方法。
【請求項６】
前記画像プロセッサはカメラの画像プロセッサであり、前記コード化パターンから情報を抽出するステップは、
前記カメラによって保持される一意の識別子を用いて前記カメラによって暗号化情報のいずれかが解読され得るかどうか決定するステップと、
前記カメラによって暗号化情報の部分が解読され得るときにカメラで暗号化情報の一部を解読するステップと、
情報の一部または全部がカメラによって解読され得ないときに、カメラに通信可能に結合された少なくとも一つの他のデバイスに暗号化情報を転送するステップと、
を含む請求項３の方法。
【請求項７】
少なくとも一つの他のデバイスは、少なくとも一つの他のデバイスによって保持される一意の識別子を用いて暗号化情報の第２部分を解読するように構成される請求項６の方法。
【請求項８】
前記フィーチャは、カメラのアスペクト比に関連している請求項１の方法。
【請求項９】
前記フィーチャは、カメラのビデオ解像度に関連している請求項１の方法。
【請求項１０】
前記フィーチャは、カメラのビデオフレームレートに関連している請求項１の方法。
【請求項１１】
前記フィーチャは、カメラのビデオ出力のコード化フォーマットに関連している請求項１の方法。
【請求項１２】
前記フィーチャは、カメラに通信可能に結合されるカメラ制御ユニットに関連している請求項１の方法。
【請求項１３】
前記フィーチャは、カメラからの、そして、少なくとも一つの他のカメラからのビデオフィードを受け取るように構成されるゲートウェイに関連している請求項１の方法。
【請求項１４】
前記フィーチャは、少なくとも一つの他のカメラの機能的な態様に関連している請求項１３の方法。
【請求項１５】
前記フィーチャは、カメラのビデオ出力に加えられる効果に関連している請求項１の方法。
【請求項１６】
前記フィーチャは、カメラによるスローモーションの取り込みを可能にする請求項１の方法。
【請求項１７】
前記フィーチャは、カメラのビデオ出力からのメタデータの生成に関連している請求項１の方法。
【請求項１８】
前記デバイスがネットワークを介してカメラからビデオフィードを伝搬させるように構成されるビデオサーバを含み、前記フィーチャは、ネットワークを介してビデオフィードを伝搬させるために用いられるコード化フォーマットに関連している請求項１の方法。
【請求項１９】
前記コード化パターンは、バーコードを含む請求項１の方法。
【請求項２０】
前記バーコードは、二次元のバーコードである請求項１９の方法。
【請求項２１】
前記バーコードは、色にコード化された情報を含む請求項２０の方法。
【請求項２２】
前記コード化パターンから情報を抽出するステップは、
一つ以上のカメラ制御ユニット（ＣＣＵ）および基地局に画像を提供するステップと、
前記ＣＣＵまたは基地局に前記画像から情報を抽出させ、前記コード化パターンを復号させるステップと、
を含む請求項１の方法。
【請求項２３】
前記コード化パターンから情報を抽出するステップは、
前記カメラに通信可能に結合されたコンピュータデバイスに画像を提供するステップと、
前記画像から抽出される復号化情報を前記コンピュータデバイスから受け取るステップと、
を含む請求項１の方法。
【請求項２４】
カメラからのオーディオ・ビジュアルデータを処理するデバイスに通信可能に結合されたカメラのイメージセンサを用いて画像を取り込む手段であって、前記カメラまたは前記デバイスは第一の設定に設定される機能的な態様を有し、前記画像はコード化パターンを含む、手段と、
カメラの画像プロセッサを用いて前記コード化パターンから情報を抽出する手段と、
前記抽出された情報を用いて前記カメラまたは前記デバイスの所定のフィーチャをロック解除する手段であって、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、手段と、
を含むカメラ装置。
【請求項２５】
前記情報は、暗号化情報を含む請求項２４のカメラ装置。
【請求項２６】
前記コード化パターンから情報を抽出する手段は、カメラによって保持される一意の識別子を用いて前記暗号化情報を解読する請求項２５のカメラ装置。
【請求項２７】
前記一意の識別子は、カメラと関連したシリアル番号を含む請求項２６のカメラ装置。
【請求項２８】
前記一意の識別子は、カメラに対して生成される暗号化キーを含む請求項２６のカメラ装置。
【請求項２９】
前記コード化パターンから情報を抽出する手段は、カメラによって暗号化情報のいずれかが該カメラで保持される一意の識別子を用いて解読され得るかどうか決定し、
該決定に基づき、前記情報を抽出する手段は、暗号化情報の一部がカメラによって解読され得る場合、カメラにおいて暗号化情報の一部を解読し、情報の一部もしくは全部がカメラによって解読不能な場合、通信可能に結合される少なくとも一つの他のデバイスに暗号化情報を送信する、請求項２６のカメラ装置。
【請求項３０】
前記少なくとも一つの他のデバイスは、少なくとも一つの他のデバイスによって保持される一意の識別子を用いて暗号化情報の第２部分を解読するように構成される請求項２９のカメラ装置。
【請求項３１】
前記フィーチャは、カメラのアスペクト比およびカメラのビデオ解像度の一つ以上に関連する請求項２４のカメラ装置。
【請求項３２】
前記フィーチャは、カメラのビデオフレームレートおよびカメラのビデオ出力のコード化フォーマットの一つ以上に関連している請求項２４のカメラ装置。
【請求項３３】
前記フィーチャは、カメラに通信可能に結合されるカメラ制御ユニットに関連している請求項２４のカメラ装置。
【請求項３４】
前記フィーチャは、カメラからの、および少なくとも一つの他のカメラからのビデオフィードを受け取るように構成されるゲートウェイに関連している請求項２４のカメラ装置。
【請求項３５】
前記フィーチャは、少なくとも一つの他のカメラの機能的な態様に関連している請求項３４のカメラ装置。
【請求項３６】
前記フィーチャは、カメラのビデオ出力に加えられる効果に関連している請求項２４のカメラ装置。
【請求項３７】
前記フィーチャは、カメラによるスローモーションの取り込みを可能にする請求項２４のカメラ装置。
【請求項３８】
前記フィーチャは、カメラのビデオ出力からのメタデータの生成に関連している請求項２４のカメラ装置。
【請求項３９】
前記デバイスは、ネットワークを介してカメラからビデオフィードを伝搬させるように構成されるビデオサーバを含み、前記フィーチャは、ネットワークを介してビデオフィードを伝搬させるために用いられるコード化フォーマットに関連している請求項２４のカメラ装置。
【請求項４０】
前記コード化パターンは、バーコードを含む請求項２４のカメラ装置。
【請求項４１】
前記コード化パターンから情報を抽出する手段は、カメラ制御ユニット（ＣＣＵ）および基地局の一つ以上に画像を提供し、前記ＣＣＵまたは基地局に画像から情報を抽出させ、コード化パターンを復号させる請求項２４のカメラ装置。
【請求項４２】
前記コード化パターンから情報を抽出する手段は、カメラに通信可能に結合されるコンピュータデバイスに画像を提供し、該コンピュータデバイスから、画像から抽出された復号情報を受け取る請求項２４のカメラ装置。
【請求項４３】
コンピュータプログラム製品であって、
カメラからのオーディオ・ビジュアルデータを処理するデバイスに通信可能に結合されたカメラのイメージセンサを用いて画像を取り込むためのコードであって、前記カメラまたは前記デバイスは第一の設定に設定される機能的な態様を有し、前記画像はコード化パターンを含む、コードと、
カメラの画像プロセッサを用いて前記コード化パターンから情報を抽出するためのコードと、
前記抽出された情報を用いて前記カメラまたは前記デバイスの所定のフィーチャをロック解除するためのコードであって、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、コードと、
を含むコンピュータ可読媒体を備えるコンピュータプログラム製品。
【請求項４４】
カメラを構成する装置であって、
カメラからのオーディオ・ビジュアルデータを処理するデバイスに通信可能に結合されたカメラのイメージセンサを用いて画像を取り込むように構成され、前記カメラまたは前記デバイスは第一の設定に設定される機能的な態様を有し、前記画像はコード化パターンを含み、
カメラの画像プロセッサを用いて前記コード化パターンから情報を抽出するように構成され、
前記抽出された情報を用いて前記カメラまたは前記デバイスの所定のフィーチャをロック解除するように構成され、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、
処理システムを備える装置。